(57)【特許請求の範囲】
【請求項１】
ＬＥＤを光源とする光源ユニットが導光板の側面に配置されるバックライトにおいて、
前記光源ユニットは、前記ＬＥＤを覆い、前記導光板の前記側面近傍の表面及び裏面に延在するＬＥＤカバーを備え、前記ＬＥＤカバーにより、前記導光板の前記側面に沿ってスライド可能に構成され、
前記光源ユニットの装着時に、前記ＬＥＤの出射面と前記導光板の入射面とが近接し、
前記光源ユニットの挿抜時に、前記ＬＥＤの出射面と前記導光板の入射面との間に隙間が形成される構造を有することを特徴とするバックライト。
【請求項２】
請求項１に記載のバックライトにおいて、
前記導光板に対して位置が固定され、前記ＬＥＤカバーの前記側面側の外側に延在するフレーム又はリアカバーを備え、
前記ＬＥＤカバーと前記フレーム又はリアカバーとは、互いの方向に向かって突出する１以上の凸部を備え、
前記光源ユニットの装着時に、前記ＬＥＤカバーの凸部が前記フレーム又はリアカバーを押圧し、前記フレーム又はリアカバーの凸部が前記ＬＥＤカバーを押圧することにより、前記ＬＥＤの出射面と前記導光板の入射面とが、前記光源ユニットと前記導光板との間に配置されたスペーサで規定される間隔に保持されることを特徴とするバックライト。
【請求項３】
請求項２に記載のバックライトにおいて、
前記ＬＥＤカバーの凸部は、前記光源ユニットを引き抜く方向の端部に形成され、前記フレーム又はリアカバーの凸部は、前記光源ユニットを差し込む方向の端部に形成され、
前記光源ユニットの挿抜時に、前記ＬＥＤカバーの凸部が前記フレーム又はリアカバーから離れ、前記フレーム又はリアカバーの凸部が前記ＬＥＤカバーから離れることにより、前記光源ユニットの固定が解除されることを特徴とするバックライト。
【請求項４】
請求項２に記載のバックライトにおいて、
前記ＬＥＤカバーの凸部及び前記フレーム又はリアカバーの凸部は、前記光源ユニットの装着時において互いに対向する位置に配置され、
前記光源ユニットの挿抜時に、前記ＬＥＤカバーの凸部と前記フレーム又はリアカバーの凸部とがずれることにより、前記光源ユニットの固定が解除されることを特徴とするバックライト。
【請求項５】
請求項２乃至４のいずれか一に記載のバックライトにおいて、
前記ＬＥＤカバーの凸部及び前記フレーム又はリアカバーの凸部の少なくとも一方は、
板バネ構造であることを特徴とするバックライト。
【請求項６】
請求項２乃至４のいずれか一に記載のバックライトにおいて、
前記ＬＥＤカバーの凸部及び前記フレーム又はリアカバーの凸部の少なくとも一方は、
先端に凸部を備える板バネ構造であることを特徴とするバックライト。
【請求項７】
請求項１に記載のバックライトにおいて、
前記導光板に対して位置が固定され、前記ＬＥＤカバーの前記側面側の外側に延在するフレーム又はリアカバーを備え、
前記ＬＥＤカバーと前記フレーム又はリアカバーとの間に、熱伝導性部材を備え、
前記光源ユニットの装着時に、前記フレーム又はリアカバーが前記熱伝導性部材を介して前記ＬＥＤカバーを押圧することにより、前記ＬＥＤの出射面と前記導光板の入射面とが、前記光源ユニットと前記導光板との間に配置されたスペーサで規定される間隔に保持されると共に、前記ＬＥＤで発生する熱が前記フレーム又はリアカバーに伝導されることを特徴とするバックライト。
【請求項８】
請求項２乃至７のいずれか一に記載のバックライトにおいて、
前記ＬＥＤカバーの前記表面側に、前記光源ユニットを引き抜く方向に沿って、前記導光板の中心からの距離が徐々に大きくなる傾斜部を備え、
前記光源ユニットの引き抜き時に、前記ＬＥＤカバーの前記傾斜部が前記フレームに設けたガイド部に接触し、前記ＬＥＤカバーが前記側面側の外側に移動することにより、前記光源ユニットと前記導光板の側面との間隔が広げられることを特徴とするバックライト。
【請求項９】
請求項２乃至７のいずれか一に記載のバックライトにおいて、
前記ＬＥＤカバーの前記裏面側に、前記光源ユニットを引き抜く方向に沿って、前記導光板の中心からの距離が徐々に大きくなる傾斜部を備え、
前記光源ユニットの引き抜き時に、前記ＬＥＤカバーの前記傾斜部が前記リアカバーに設けたガイド部に接触し、前記ＬＥＤカバーが前記側面側の外側に移動することにより、前記光源ユニットと前記導光板の側面との間隔が広げられることを特徴とするバックライト。
【請求項１０】
請求項１に記載のバックライトにおいて、
前記ＬＥＤカバーの挿抜方向の端部に、前記光源ユニットを引き抜く方向に沿って、前記導光板の中心からの距離が徐々に大きくなるように傾斜した部分を有する切込部を備え、
前記光源ユニットの引き抜き時に、前記導光板に設けた凸部が前記ＬＥＤカバーの前記切込部に沿って移動することにより、前記光源ユニットと前記導光板の側面との間隔が広げられることを特徴とするバックライト。
【請求項１１】
請求項１に記載のバックライトにおいて、
前記ＬＥＤカバーの挿抜方向の端部に凸部を備え、前記導光板に、前記光源ユニットを引き抜く方向に沿って、中心からの距離が徐々に大きくなるように傾斜した部分を有する溝部を備え、
前記光源ユニットの引き抜き時に、前記ＬＥＤカバーの前記凸部が前記導光板の前記溝部に沿って移動することにより、前記光源ユニットと前記導光板の側面との間隔が広げられることを特徴とするバックライト。
【請求項１２】
請求項１乃至１１のいずれか一に記載のバックライトを用いたことを特徴とする液晶表示装置。
【発明の詳細な説明】
【技術分野】
【０００１】
本発明は、バックライト及び液晶表示装置に関し、特に、ＬＥＤを光源とする光源ユニットが交換可能なエッジライト型バックライト及びそれを用いた液晶表示装置に関する。
【背景技術】
【０００２】
液晶表示装置の不具合原因のひとつに、光源の不点灯、光源の寿命による輝度低下がある。これらは光源の交換により容易に修復可能なため、長期間使用する液晶表示装置には光源交換機構を有することが重要である。
【０００３】
上記光源交換機構について、図２７（下記特許文献１の図２）を参照して説明する。
【０００４】
特許文献１の光源ユニットは、両端に光源保持部、その間に反射体があり、その内部に光源が配置されている。この光源ユニットは、導光板を導光板保持部でくわえ込み、更に保持筐体およびスライド機構でくわえ込む構造で保持されている。そして、光源ユニットを導光板に並行に移動させ、引き抜いて光源ユニット毎、交換する構造となっている。
【０００５】
上記光源は、ＬＥＤ（Light Emitting Diode）より発熱温度が高い直管型冷陰極管が使用されている。直管型冷陰極管は棒状の光源で電極である両端付近を除き、棒状全体が発光するため、光源として使用する場合は両端付近を除き光源の周囲を反射体で覆い、導光板の入射面のみを開口させ、光源の光を入射させている。また、光源からの熱の影響を避けるために反射体および導光板を離すことが一般的な構造であり、光源の周囲を反射体で覆うため、光源の出射面と導光板の入射面の距離が光学特性に与える影響は小さい。
【０００６】
一方、ＬＥＤを光源とする場合、点状の光源となるため、光源の光を効率よく使用することが重要であり、ＬＥＤの出射面と導光板の入射面の距離が光学特性に与える影響は大きい。光源の光を液晶表示装置のバックライト光として最大限に利用するためには、光源の光を漏らさずに導光板に入射させることが必要であり、そのためには、ＬＥＤの出射面を導光板の入射面にできるだけ近づける必要があり、図２８（下記特許文献２の図１）のように、ＬＥＤ光源を導光板に接触させる構造が一般的で効果的である。
【０００７】
また、ＬＥＤは導光板の入射辺に対し、点状の配置となるため、バックライトの発光面または液晶表示面の光源側の辺にＬＥＤ発光による点状に明部が発生しやすい。これを回避するために、図２９、図３０（下記特許文献３の図３、図１）、図３１（下記特許文献４の図６）に示すように、導光板の入射面や、ＬＥＤと導光板の間に特殊加工を施すことで、ＬＥＤの光を分散させるなどして、ＬＥＤ発光による点状の明部をなくし、バックライトの発光面または液晶表示面の明るさを均一化している。
【０００８】
【特許文献１】特開平０６−０５１２９３号公報
【特許文献２】特開２００５−３２１５８６号公報
【特許文献３】特開２００６−３０２７１０号公報
【特許文献４】特開２００４−２１３０２５号公報
【発明の開示】
【発明が解決しようとする課題】
【０００９】
ここで、光源として冷陰極管などを使用する場合は、光源が棒状で光源全体が発光し、光源の周囲を反射体で覆い、光源の熱の影響を考慮すると、光源と導光板とを離して設置することが効果的であり、特許文献１のような光源交換機構を使用することができる。
【００１０】
しかしながら、光源としてＬＥＤを使用する場合は、上述したように、ＬＥＤの出射面を導光板の入射面にできるだけ近づける必要があるため、特許文献１のような光源交換機構を使用すると、光源ユニットを挿抜する際に、光源と導光板とが接触し、ＬＥＤの発光面、導光板の入射面、あるいは特殊加工部が損傷し、明部または暗部の表示不良となるという問題が生じる。
【００１１】
また、この問題を回避するため、導光板と光源とを間隔を大きくすると、前述のようにＬＥＤの出射面と導光板の入射面の距離が光学特性に大きな影響を与えているため、ＬＥＤの出射光の利用効率が著しく下がるという問題が生じる。
【００１２】
本発明は、上記問題点に鑑みてなされたものであって、その主たる目的は、ＬＥＤ交換時における、ＬＥＤの発光面、導光板の入射面、あるいは特殊加工部の損傷を防止し、ＬＥＤの出射光の利用効率の低下を防止することができるバックライト及び液晶表示装置を提供することにある。
【課題を解決するための手段】
【００１３】
上記目的を達成するため、本発明は、ＬＥＤを光源とする光源ユニットが導光板の側面に配置されるバックライトにおいて、前記光源ユニットは、前記ＬＥＤを覆い、前記導光板の前記側面近傍の表面及び裏面に延在するＬＥＤカバーを備え、前記ＬＥＤカバーにより、前記導光板の前記側面に沿ってスライド可能に構成され、前記光源ユニットの装着時に、前記ＬＥＤの出射面と前記導光板の入射面とが近接し、前記光源ユニットの挿抜時に、前記ＬＥＤの出射面と前記導光板の入射面との間に隙間が形成される構造を有するものである。
【発明の効果】
【００１４】
本発明によれば、光源の交換時には、ＬＥＤの出射面と導光板の入射面の間隔を大きくすることができるため、ＬＥＤの出射面や導光板の入射面、ならびにＬＥＤと導光板の間の特殊加工部の損傷を防止することができる。
【００１５】
また、光源の装填時（交換完了時）にはＬＥＤの出射面と導光板の入射面の距離を０（ゼロ）に近づけることができるため、ＬＥＤの出射光の利用効率の低下を防止することができる。
【発明を実施するための最良の形態】
【００１６】
背景技術で示したように、液晶表示装置を長期間使用するためには光源交換機構が必要である。ここで、光源として冷陰極管を使用する場合は、光源と導光板とを離して設置できるため、光源の挿抜時に光源と導光板とが接触しにくいが、光源としてＬＥＤを使用する場合は、ＬＥＤの出射光の利用効率を下げないように光源と導光板とを近づけなければならないため、光源の挿抜時に光源と導光板とが接触しやすい。
【００１７】
そこで、本発明では、ＬＥＤを光源とした光源ユニットの装填時には、光源の出射面と導光板の入射面とが近接し、光源ユニットの挿抜時には、光源の出射面と導光板の入射面の間に隙間が出来る構造を設ける。以下、図面を参照して詳細に説明する。
【実施例１】
【００１８】
まず、本発明の第１の実施例に係るバックライト及び液晶表示装置について、図１乃至図１２を参照して説明する。図１は、本実施例の液晶表示装置の概略構造を示す斜視図である。また、図２は、図１のＡ１−Ａ２の断面図であり、図３は、図２のＢ１−Ｂ２の光源ユニットの断面図である。また、図４乃至図６は、図２のＢ１−Ｂ２の断面図であり、ＬＥＤ８と導光板５との位置関係を示している。また、図７乃至図９は、図２のＣ１−Ｃ２の断面図であり、ＬＥＤカバー１０のおもて側（液晶表示面側）とフレーム２のガイド部２ａとの位置関係を示している。また、図１０乃至図１２は、図２のＤ１−Ｄ２の断面図であり、ＬＥＤカバー１０のうら側（液晶表示面の反対側）とリアカバー７のガイド部７ｂとの位置関係を示している。また、図４、７、１０は、光源ユニットを装填した状態、図５、８、１１は、光源ユニットを少し引き出した状態、図６、９、１２は、光源ユニットを半分程度引き出した状態を示している。
【００１９】
図１及び図２に示すように、本実施例の液晶表示装置は、液晶パネル３と、液晶パネル３を照明するバックライトと、これらを保持する筐体と、で構成される。液晶パネルは、ＴＦＴ（Thin Film Transistor）等のスイッチング素子がマトリクス状に配列された一方の基板と、カラーフィルタやブラックマトリクスなどが配置された他方の基板と、両基板の間に保持される液晶材などで構成される。バックライトは、バックライト光を出射する光源ユニットと、この出射光を液晶パネル３全面に導く導光板５、反射シート６、光学シート類４などで構成される。筐体は、背面側のリアカバー７と、液晶パネル３を位置決めするフレーム２と、表示面側のフロントカバー１などで構成される。
【００２０】
なお、本発明は、光源ユニットの着脱構造に特徴を有するものであり、液晶パネル３や導光板５、反射シート６、光学シート類４などの他の部材の構造や材料などは特に限定されない。以下、光源ユニットの着脱構造に関して詳述する。
【００２１】
図３に示すように、光源ユニットは、複数個のＬＥＤ８と、配線基板９と、ＬＥＤカバー１０と、スペーサ１２Ａ、１２Ｂとで構成される。ＬＥＤカバー１０の内側には複数個のＬＥＤ８が実装された配線基板９が密着実装されており、その両端にはスペーサ１２Ａ、１２Ｂが密着配置されている。
【００２２】
また、図４に示すように、導光板５の光源ユニット側にはＬＥＤ８の出射面８ａ（８ａ１、８ａ２）からの光が入射する入射面５ｃがあり、その両側には光源ユニットとの接触面５ａ、５ｂがある。接触面５ａに対向する部分のリアカバー７には絞り加工などによって形成された凸部７ａがあり、接触面５ｂに対向する部分のＬＥＤカバー１０には絞り加工などによって形成された凸部１０ａがあり、互いに押し合うことにより、スペーサ１２Ａ、１２Ｂを導光板５の光源ユニットとの接触面５ａ、５ｂに押し当てている。ここで、導光板５の入射面５ｃはバックライトの発光面の有効領域であり、光源ユニットとの接触面５ａ、５ｂはバックライトの発光面の有効領域外である。
【００２３】
また、図２に示すように、ＬＥＤカバー１０がコの字状に導光板５をくわえ込み、フレーム２とリアカバー７とで囲むことにより、光源ユニットの挿抜をガイドする機構となっている。また、図７に示すように、ＬＥＤカバー１０のおもて側には傾斜部１０ｂがあり、フレーム２にはガイド部２ａがあり、光源ユニットを挿抜する際のガイド機構の一部となっている。また、図１０に示すように、ＬＥＤカバー１０のうら側には傾斜部１０ｃがあり、リアカバー７にはガイド部７ｂがあり、光源ユニットを挿抜する際のガイド機構の一部となっている。このように、光源ユニットの交換（挿抜）時の動きは、ガイド機構であるＬＥＤカバー１０とフレーム２のガイド部２ａとリアカバー７のガイド部７ｂにより決まるようになっている。
【００２４】
なお、ＬＥＤ８は発光時に発熱し、その熱を逃がす必要があるため、少なくともＬＥＤカバー１０、リアカバー７は伝熱性のよい材料（例えば、金属材料）で構成することが望ましい。
【００２５】
次に、光源ユニットの交換手順について、図４乃至図１２を参照して説明する。
【００２６】
図４に示すように、光源ユニットが所定の位置にある状態（装填された状態）では、リアカバー７の凸部７ａがＬＥＤカバー１０を押圧すると共に、ＬＥＤカバー１０の凸部１０ａがリアカバー７を押圧し、スペーサ１２Ａ、１２Ｂを導光板５の光源ユニットとの接触面５ａ、５ｂに押し当てて、光源ユニットを固定している。なお、導光板５の光源ユニットとの接触面５ａおよび５ｂは、導光板５と光源ユニットが平行して固定できれば、入射面５ｃと同様の特殊加工部があっても問題ない。
【００２７】
ここで、スペーサ１２Ａに最も近いＬＥＤ８の出射面を８ａ１とし、スペーサ１２Ｂに最も近いＬＥＤ８の出射面を８ａ２とすると、ＬＥＤ８と導光板５の入射面５ｃの距離は、スペーサ１２Ａの導光板５と接する面とＬＥＤ８の出射面８ａ１との距離Ｌ１、およびスペーサ１２Ｂの導光板５と接する面とＬＥＤ８の出射面８ａ２との距離Ｌ２で決定される。
【００２８】
従って、スペーサ１２Ａとスペーサ１２Ｂの高さを同じにし、ＬＥＤ８の形状を同じにすると、Ｌ１とＬ２は等しくなり、光源ユニットは導光板５の入射面５ｃに対し平行となる。そして、ＬＥＤ８の光源ユニット内の位置に関わらず、入射面５ｃとの距離は一定となり、この距離を限りなく０（ゼロ）にすることで、光源の光を最大に導光板５に入射させることができる。なお、光源側に特殊加工がある場合は導光板５の入射面５ａと接する面あるいは近接する面をＬＥＤ８の出射面８ａと想定すればよい。
【００２９】
なお、この状態では、図７に示すように、ＬＥＤカバー１０のおもて側の傾斜部１０ｂとフレーム２のガイド部２ａとは係合していない。また、図１０に示すように、ＬＥＤカバー１０のうら側の傾斜部１０ｃとリアカバー７のガイド部７ｂとは係合していない。
【００３０】
次に、図５に示すように、光源ユニットを少し引き抜いた状態では、リアカバー７の凸部７ａはＬＥＤカバー１０と接しなくなると共に、ＬＥＤカバー１０の凸部１０ａはリアカバー７と接しなくなり、液晶表示装置側面のリアカバー７とＬＥＤカバー１０の間に空間ができ、光源ユニットは非固定の状態となる。このとき、スペーサ１２Ａは導光板５の接触面５ａ上に位置する。
【００３１】
また、この状態では、図８に示すように、ＬＥＤカバー１０のおもて側ではＬＥＤカバー１０の傾斜部１０ｂとフレーム２のガイド部２ａの円弧部２ａ１が接する位置にくる。また、図１１に示すように、ＬＥＤカバー１０のうら側ではＬＥＤカバー１０の傾斜部１０ｃとリアカバー７のガイド部７ｂが接する位置にくる。
【００３２】
次に、図６に示すように、光源ユニットを半分くらい引き抜いた状態では、ＬＥＤ８の出射面８ａと導光板５の入射面５ｃとの距離が大きくなり、逆に液晶表示装置側面のリアカバー７とＬＥＤカバー１０との間の空間が小さくなる。このとき、スペーサ１２Ａは導光板５の入射面５ｃ上に位置している。
【００３３】
また、この状態では、図９に示すように、ＬＥＤカバー１０のおもて側ではＬＥＤカバー１０がフレーム２の上に乗り上げている。また、図１２に示すように、ＬＥＤカバー１０のうら側ではＬＥＤカバー１０がリアカバー７のガイド部７ｂに乗り上げている。従って、ＬＥＤ８の出射面８ａと導光板５の入射面５ｃの距離は大きくなり、光源ユニット交換時にＬＥＤ８と導光板５の入射面５ｃは接触しない。
【００３４】
そして、図６、９、１２に示す位置関係のまま、光源ユニットは引き抜かれる。また、光源ユニットを差し込む際はこの手順の逆となる。
【００３５】
このように、光源ユニットの装填時には、凸部１０ａがリアカバー７、凸部７ａがＬＥＤカバー１０を押圧して、ＬＥＤ８の出射面８ａと導光板５の入射面５ｃとが近接した状態で保持される。また、光源ユニットの挿抜時には、凸部１０ａがリアカバー７、凸部７ａがＬＥＤカバー１０から離間すると共に、傾斜部１０ｂと円弧部２ａ１、傾斜部１０ｃとガイド部７ｂが係合して、ＬＥＤ８の出射面８ａと導光板５の入射面５ｃとの間に隙間を生じさせる。従って、ＬＥＤの出射光の利用効率の低下を防止すると共に、ＬＥＤ交換時の損傷を防止することができる。
【実施例２】
【００３６】
次に、本発明の第２の実施例に係るバックライト及び液晶表示装置について、図１３乃至図２６を参照して説明する。図１３、１４、２０乃至２４は、本実施例の液晶表示装置の他の構造を示す断面図である。また、図１５乃至図１９は、凸部形状の他の構造を示す図であり、図２５、２６は、ガイド機構の他の構造を示す図である。なお、本実施例は、第１の実施例の構造のバリエーションを示す。
【００３７】
前記した第１の実施例では、リアカバー７とＬＥＤカバー１０は金属材料とし、リアカバー７の凸部７ａとＬＥＤカバー１０の凸部１０ａは絞り加工で成形したが、図１３に示すようにリアカバー７の凸部７ａ、または、図１４に示すようにＬＥＤカバー１０の凸部１０ａは板バネ構造としてもよい。この板バネ構造の詳細を図１５に示す。また、図１６に示すように板バネ構造の先端に更に凸部を加えた構造でもよい。
【００３８】
また、図示しないが、凸部形状はプラスチック樹脂材料等で成形し、接着剤や嵌め込みで取り付けた構造としてもよい。
【００３９】
また、ＬＥＤカバー１０に凸部１０ａを設ける代わりに、図１７に示すように、スペーサ１２Ｂに凸部を設け、この凸部をＬＥＤカバー１０に設けた貫通穴から突出させる構造としてもよい。
【００４０】
また、これらの凸部は、図１８に示すように、リアカバー７とＬＥＤカバー１０の両方にあってもよい。この場合、図１９に示すように、光源ユニットの挿抜の際に入り口側の凸部（１０ａ側）に接触しないように奥側の凸部（７ａ側）を配置する必要がある。また、図示しないが、凸部が両側にある場合は、一方を凸部とし、他方を板バネとし、それらを組合せた構造とすることもできる。
【００４１】
また、図示しないが、フレーム２の円弧部２ａ１、リアカバー７のガイド部７ｂ、ＬＥＤカバー１０の傾斜部１０ｂ及び１０ｃの形状は、円弧または傾斜のどちらでもよく、組合せも円弧と円弧、傾斜と傾斜でもよい。また、フレーム２のガイド部２ａは、リアカバー７のガイド部７ｂと同様の形状としてもよい。
【００４２】
また、図４では、リアカバー７を側面部に延長させたが、図２０に示すように、フレーム２を側面部に延長させてもよい。
【００４３】
また、図２１に示すように、リアカバー７とＬＥＤカバー１０に貫通穴を設け、スペーサ１２Ａまたは１２Ｂ、あるいは両方にネジ部を設け、ネジ１４でネジ締結してもよい。この構成により、光源ユニット交換時のクリアランスをなくし、リアカバー７とＬＥＤカバー１０の密着性が上がり、ＬＥＤ８の放熱性を上げることができる。
【００４４】
また、図２２に示すように、リアカバー７とＬＥＤカバー１０の凸部をなくし、その空間に伝熱性のよい材料で構成されたスペーサ１３を挿入し、光源ユニットを導光板５に押し当てて固定する構造にしてもよい。この構造により、放熱経路が増え、ＬＥＤ８の放熱性を上げることができる。
【００４５】
また、図２１に示すネジ１４によるネジ締結構造と、図２２に示すスペーサ１３挿入構造の複合構造で更に放熱性を上げることもできる。
【００４６】
また、ここまでトップビュータイプ（光の出射面が実装面の反対面）のＬＥＤについて説明したが、図２３に示すように、サイドビュータイプ（光の出射面が実装面と平行）のＬＥＤにも同様に適用することができる。また、図２３は、配線基板９の位置がＬＥＤカバー１０のうら側の内側であるが、ＬＥＤカバー１０のおもて側の内側でもよい。
【００４７】
また、図２４に示すように、スペーサ１２Ａのおもて側に凸部１２Ａｅ１、うら側に凸部１２Ａｅ２、フレーム２に溝２ｅ、リアカバー７に溝７ｅを設けたガイド機構としてもよい。図２５に、図２４のＥ１−Ｅ２の断面図を示し、図２６に、光源ユニットの外形図を示す。溝７ｅについては図示しないが、図２５と同様の機構である。
【実施例３】
【００４８】
次に、本発明の第３の実施例に係るバックライト及び液晶表示装置について、図３２乃至図４５を参照して説明する。図３２乃至４３は、本実施例の液晶表示装置の他の構造を示す断面図および平面図である。また、図４４及び図４５は、ガイド機構の他の構造を示す図である。
【００４９】
前記した第１及び第２の実施例では、ＬＥＤカバー１０とリアカバー７やフレーム２とを係合させる構造を示したが、本実施例では、第１及び第２の実施例の構造に加えて、又は、第１及び第２の実施例の構造に代えて、ＬＥＤカバー１０と導光板５とを係合させる構造を示す。
【００５０】
例えば、図３２、３３、４０、４１に示すように、ＬＥＤカバー１０の挿抜方向の端部（好ましくは両端部）に、光源ユニットを引き抜く方向に沿って、導光板５の中心からの距離が徐々に大きくなるように傾斜した部分を有する切込部１０ｄを設け、導光板５の入光側の表示面またはその対向面の切込部１０ｄに対向する位置に凸部５ｄを設ける。
【００５１】
そして、図３５に示すように、光源ユニットを挿入する際には、リアカバー７に押し付けるようにスライドしていき、終端近くになった際に、図３６に示すようにＬＥＤカバー１０の切込部１０ｄの入り口に、導光板５の凸部５ｄを嵌るようにする。その後、導光板５の凸部５ｄがＬＥＤカバー１０の切込部１０ｄの溝にすべるようにＬＥＤカバー１０をスライドインさせていく。
【００５２】
この構造では、入れる途中では、図３７のように導光板５とＬＥＤは離れているが、入り込めば、図３４のように導光板５とＬＥＤを近接させて位置決めすることができる。ＬＥＤカバー１０を抜く際には、上記の逆の動作を行う。なお、ＬＥＤカバー１０に設ける切込部１０ｄの形状は上記図に示した形状に限らず、例えば、図４４、４５のような形状とすることもできる。
【００５３】
また、別の構造として、図３８、３９、４２、４３に示すように、導光板５に、光源ユニットを引き抜く方向に沿って、中心からの距離が徐々に大きくなるように傾斜した部分を有する１又は２本（好ましくは２本）の溝部５ｅを設け、ＬＥＤカバー１０の入光側の表示面またはその対向面の溝部５ｅに対向する位置に凸部１０ｅを設ける。
【００５４】
そして、光源ユニットを挿入する際には、ＬＥＤカバー１０の凸部１０ｅを導光板５の溝部５ｅにスライドしていき、終端近くになった際に、導光板５のもうひとつの溝部５ｅにＬＥＤカバー１０の凸部１０ｅが嵌るようにする。その後、ＬＥＤカバー１０の凸部１０ｅが導光板５の溝部５ｅにすべるようにＬＥＤカバー１０をスライドインさせていく。
【００５５】
この構造でも、入れる途中では、導光板５とＬＥＤは離れているが、入り込めば、導光板５とＬＥＤを近接させて位置決めすることができる。ＬＥＤカバー１０を抜く際には、上記の逆の動作を行う。
【００５６】
以上説明した構造でも、第１の実施例と同様に、ＬＥＤの出射光の利用効率の低下を防止すると共に、ＬＥＤ交換時の損傷を防止することができる。更に、本実施例の場合、導光板５にＬＥＤカバー１０が取り付いている構造である為、導光板５とＬＥＤとが常に一定に固定できている。これにより、熱膨張にかかわらず、両側入光時の保持を可能にできるという別の効果を得ることができる。
【産業上の利用可能性】
【００５７】
本発明は、ＬＥＤを光源とする光源ユニットが交換可能なバックライト及びそれを用いた液晶表示装置に利用可能である。
【図面の簡単な説明】
【００５８】
【図１】本発明の第１の実施例に係る液晶表示装置の構造を示す斜視図である。
【図２】図１のＡ１−Ａ２の断面図である。
【図３】図２のＢ１−Ｂ２の光源ユニットの断面図である。
【図４】図２のＢ１−Ｂ２の断面図であり、光源ユニットを装填した状態におけるＬＥＤと導光板との位置関係を示す図である。
【図５】図２のＢ１−Ｂ２の断面図であり、光源ユニットを少し引き出した状態におけるＬＥＤと導光板との位置関係を示す図である。
【図６】図２のＢ１−Ｂ２の断面図であり、光源ユニットを半分程度引き出した状態におけるＬＥＤと導光板との位置関係を示す図である。
【図７】図２のＣ１−Ｃ２の断面図であり、光源ユニットを装填した状態におけるＬＥＤカバーのおもて側とフレームのガイド部との位置関係を示す図である。
【図８】図２のＣ１−Ｃ２の断面図であり、光源ユニットを少し引き出した状態におけるＬＥＤカバーのおもて側とフレームのガイド部との位置関係を示す図である。
【図９】図２のＣ１−Ｃ２の断面図であり、光源ユニットを半分程度引き出した状態におけるＬＥＤカバーのおもて側とフレームのガイド部との位置関係を示す図である。
【図１０】図２のＤ１−Ｄ２の断面図であり、光源ユニットを装填した状態におけるＬＥＤカバーのうら側とリアカバーのガイド部との位置関係を示す図である。
【図１１】図２のＤ１−Ｄ２の断面図であり、光源ユニットを少し引き出した状態におけるＬＥＤカバーのうら側とリアカバーのガイド部との位置関係を示す図である。
【図１２】図２のＤ１−Ｄ２の断面図であり、光源ユニットを半分程度引き出した状態におけるＬＥＤカバーのうら側とリアカバーのガイド部との位置関係を示す図である。
【図１３】液晶表示装置の他の構造を示す断面図である。
【図１４】液晶表示装置の他の構造を示す断面図である。
【図１５】図１３及び図１４における板バネ構造を示す平面図及び断面図である。
【図１６】図１３及び図１４における板バネ構造の他の例を示す平面図及び断面図である。
【図１７】凸部形状の他の例を示す平面図及び断面図である。
【図１８】凸部形状の他の例を示す断面図である。
【図１９】図１８における凸部の配置を示す平面図である。
【図２０】液晶表示装置の他の構造を示す断面図である。
【図２１】液晶表示装置の他の構造を示す断面図である。
【図２２】液晶表示装置の他の構造を示す断面図である。
【図２３】液晶表示装置の他の構造を示す断面図である。
【図２４】液晶表示装置の他の構造を示す断面図である。
【図２５】図２４のＥ１−Ｅ２の断面図である。
【図２６】光源ユニットの外形図である。
【図２７】特許文献１（特開平０６−０５１２９３号公報）の液晶表示装置の構造を示す断面図である。
【図２８】特許文献２（特開２００５−３２１５８６号公報）のバックライトの構造を示す分解図である。
【図２９】特許文献３（特開２００６−３０２７１０号公報）の面光源装置の構造を示す平面図である。
【図３０】特許文献３（特開２００６−３０２７１０号公報）の面光源装置の導光板とＬＥＤの拡大平面図である。
【図３１】特許文献４（特開２００４−２１３０２５号公報）のバックライトの構造を示す斜視図である。
【図３２】本発明の第３の実施例に係るＬＥＤカバーと導光板の構造を示す図である。
【図３３】図３２のＤ−Ｄ断面図である。
【図３４】図３３のＥ−Ｅ断面を上から見た図である。
【図３５】ＬＥＤカバー挿抜時の動作を示す図である。
【図３６】ＬＥＤカバー挿抜時の動作を示す図である。
【図３７】図３３のＥ−Ｅ断面を上から見た図である。
【図３８】本発明の第３の実施例に係る液晶表示装置の他の構造を示す断面図である。
【図３９】本発明の第３の実施例に係るＬＥＤと導光板の位置関係を示す図である。
【図４０】本発明の第３の実施例に係る液晶表示装置の他の構造を示す断面図である。
【図４１】本発明の第３の実施例に係るＬＥＤカバーと導光板の構造を示す図である。
【図４２】本発明の第３の実施例に係る液晶表示装置の他の構造を示す断面図である。
【図４３】本発明の第３の実施例に係るＬＥＤと導光板の位置関係を示す図である。
【図４４】ガイド機構の他の構造を示す図である。
【図４５】ガイド機構の他の構造を示す図である。
【符号の説明】
【００５９】
１  フロントカバー
２  フレーム
２ａ  ガイド部
２ａ１  円弧部
２ａ２  
２ｅ  溝
３  液晶パネル
４  光学シート類
５  導光板
５ａ、５ｂ  接触面
５ｃ  入射面
５ｄ  凸部
５ｅ  溝部
６  反射シート
７  リアカバー
７ａ、７Ａ、７Ｂ、７Ｃ  凸部
７ｂ  ガイド部
７ｅ  溝
８  ＬＥＤ
８ａ、８ａ１、８ａ２  出射面
９  配線基板
１０  ＬＥＤカバー
１０ａ、１０Ａ、１０Ｂ、１０Ｃ  凸部
１０ｂ、１０ｃ  傾斜部
１０ｄ  切込部
１０ｅ  凸部
１２Ａ、１２Ｂ  スペーサ
１２Ａａ、１２Ｂａ  導光板と接する面
１２Ａｅ１、１２Ａｅ２  凸部
１３  スペーサ
１４  ネジ
【図１】
0005190735.tif 000002
【図２】
0005190735.tif 000003
【図３】
0005190735.tif 000004
【図４】
0005190735.tif 000005
【図５】
0005190735.tif 000006
【図６】
0005190735.tif 000007
【図７】
0005190735.tif 000008
【図８】
0005190735.tif 000009
【図９】
0005190735.tif 000010
【図１０】
0005190735.tif 000011
【図１１】
0005190735.tif 000012
【図１２】
0005190735.tif 000013
【図１３】
0005190735.tif 000014
【図１４】
0005190735.tif 000015
【図１５】
0005190735.tif 000016
【図１６】
0005190735.tif 000017
【図１７】
0005190735.tif 000018
【図１８】
0005190735.tif 000019
【図１９】
0005190735.tif 000020
【図２０】
0005190735.tif 000021
【図２１】
0005190735.tif 000022
【図２２】
0005190735.tif 000023
【図２３】
0005190735.tif 000024
【図２４】
0005190735.tif 000025
【図２５】
0005190735.tif 000026
【図２６】
0005190735.tif 000027
【図２７】
0005190735.tif 000028
【図２８】
0005190735.tif 000029
【図２９】
0005190735.tif 000030
【図３０】
0005190735.tif 000031
【図３１】
0005190735.tif 000032
【図３２】
0005190735.tif 000033
【図３３】
0005190735.tif 000034
【図３４】
0005190735.tif 000035
【図３５】
0005190735.tif 000036
【図３６】
0005190735.tif 000037
【図３７】
0005190735.tif 000038
【図３８】
0005190735.tif 000039
【図３９】
0005190735.tif 000040
【図４０】
0005190735.tif 000041
【図４１】
0005190735.tif 000042
【図４２】
0005190735.tif 000043
【図４３】
0005190735.tif 000044
【図４４】
0005190735.tif 000045
【図４５】
0005190735.tif 000046